(57)【要約】  撹拌ファンの回転軸に駆動力を十分に伝え、且つ回転軸を通して水蒸気および熱が漏れない加熱調理器を実現する。加熱調理器は、加熱庫（２ａ）に送風するコンベクションファン（３４）を駆動する駆動用モータ（４０）の回転軸（４１）が貫通する貫通孔（３０ａ）は、遮熱パネル（３１）のバーリング（３１ａ）とコンベクションパネル（３５）のバーリング（３５ａ）とを嵌め合わせて形成される。
2020040096.tif 000002
【特許請求の範囲】
【請求項１】
少なくとも水蒸気を用いた調理を行う加熱調理器であって、
加熱庫内に供給された水蒸気を対流させるための送風ファンと、
上記送風ファンに駆動力を伝達する駆動用モータと、
上記送風ファンを配置するためのコンベクションパネルと、
上記駆動用モータに対する上記加熱庫からの熱を遮断するための遮熱パネルと、
を備え、
上記駆動用モータの駆動軸は、上記遮熱パネルおよび上記コンベクションパネルを貫通した貫通孔を通して、上記送風ファンに接続され、
上記貫通孔は、上記コンベクションパネルと上記遮熱パネルそれぞれに形成されたバーリング同士を嵌め合わせて形成されていることを特徴とする加熱調理器。
【請求項２】
上記貫通孔の上記駆動用モータ側に、上記駆動軸が貫通し、当該貫通孔を覆うワッシャが設けられていることを特徴とする請求項１に記載の加熱調理器。
【請求項３】
上記ワッシャは、ポリイミドを含むことを特徴とする請求項２に記載の加熱調理器。
【請求項４】
上記ワッシャは、可撓性を有することを特徴とする請求項２または３に記載の加熱調理器。
【請求項５】
上記ワッシャは、上記遮熱パネルに形成された少なくとも３つの支持部により、当該遮熱パネルに対して所定の範囲内で移動自在に支持されていることを特徴とする請求項４に記載の加熱調理器。
【発明の詳細な説明】
【技術分野】
【０００１】
本発明は、加熱調理器に関し、特に水蒸気を用いた調理を行う加熱調理器に関する。
【背景技術】
【０００２】
加熱調理器の一つして、水蒸気を用いた調理を行う加熱調理器がある。このような加熱調理器において、水蒸気および熱を無駄なく利用するために、加熱庫内の水蒸気および熱が庫外に漏れないようにする必要がある。従来、水蒸気および熱の漏れを防止するための技術が種々提案されている。例えば特許文献１には、加熱庫内の水蒸気を撹拌するための送風機の撹拌ファンの回転軸をマグネットカップリングすることで、当該回転軸を通して水蒸気および熱が漏れるのを完全に防止する加熱調理装置が提案されている。
【先行技術文献】
【特許文献】
【０００３】
【特許文献１】日本国公開特許公報「特開２００１−３５５８４４号公報」
【発明の概要】
【発明が解決しようとする課題】
【０００４】
しかしながら、上述のような従来技術では、撹拌ファンの回転軸から水蒸気および熱が庫外に漏れるのを完全に防止できるものの、送風機の撹拌ファンの回転軸がマグネットカップリングされているため、撹拌ファンの回転軸とモータとが直接接続されている場合に比べて、モータからの駆動力が回転軸に十分に伝わらない恐れがある。このため、加熱庫内の水蒸気および熱を十分に撹拌できず、水蒸気および熱を用いた調理を適切に行えない恐れがある。【０００５】
本発明の一態様は、撹拌ファンの回転軸に駆動力を十分に伝える構成であり、且つ回転軸を通して水蒸気および熱が漏れることを防止する加熱調理器を実現することを目的とする。
【課題を解決するための手段】
【０００６】
上記の課題を解決するために、本発明の一態様に係る加熱調理器は、少なくとも水蒸気を用いた調理を行う加熱調理器であって、加熱庫内に供給された水蒸気を撹拌するための風を送り出す撹拌用送風ファンと、上記撹拌用送風ファンに駆動力を伝達する駆動用モータと、上記撹拌用送風ファンを配置するためのコンベクションパネルと、上記駆動用モータに対する上記加熱庫からの熱を遮断するための遮熱パネルと、を備え、上記駆動用モータの駆動軸は、上記遮熱パネルおよび上記コンベクションパネルを貫通した貫通孔を介して上記駆動用モータに接続され、上記貫通孔は、上記コンベクションパネルと上記遮熱パネルそれぞれに形成されたバーリング同士を嵌め合わせて形成されていることを特徴としている。【０００７】
本発明の他の態様に係る加熱調理器は、少なくとも水蒸気を用いた調理を行う加熱調理器であって、加熱庫内に供給された水蒸気を撹拌するための風を送り出す撹拌用送風ファンと、上記撹拌用送風ファンに駆動力を伝達する駆動用モータと、上記撹拌用送風ファンを配置するためのコンベクションパネルと、上記駆動用モータに対する上記加熱庫からの熱を遮断するための遮熱パネルと、を備え、上記駆動用モータの駆動軸は、上記遮熱パネルおよび上記コンベクションパネルを貫通した貫通孔を介して上記駆動用モータに接続され、上記貫通孔の上記駆動用モータ側に、上記駆動軸が貫通し、当該貫通孔を覆う耐熱樹脂からなるワッシャが設けられていることを特徴としている。
【発明の効果】
【０００８】
本発明の一態様によれば、撹拌ファンの回転軸に駆動力を十分に伝える構成であり、且つ回転軸を通して水蒸気および熱が漏れることを防止する加熱調理器を実現できる。
【図面の簡単な説明】
【０００９】
【図１】本発明の実施形態１に係る加熱調理器の正面図である。
【図２】図１に示す加熱調理器の機能ブロック図である。
【図３】図１に示す加熱調理器の背面パネルを取り外した状態を示す図である。
【図４】図１に示す加熱調理器の正面から見て左側面パネルを取り外した状態を示す図である。
【図５】図３に示す加熱調理器の背面に設けられた遮熱パネルを示し、（ａ）は平面図、（ｂ）は駆動用モータ側から見て右側の側面図を示す。
【図６】図５に示す遮熱パネルの背面図である。
【図７】図５の（ａ）に示すＡＡ線矢視断面図である。
【図８】図７に示す断面図の要部を拡大した要部拡大図である。
【図９】遮熱パネルにカプトンワッシャを固定した状態を示す遮熱パネルの正面図である。
【図１０】図９に示す遮熱パネルの背面図である。
【図１１】本発明の実施形態２に係る加熱調理器におけるコンベクションパネルと遮熱パネルとの接続状態を説明するための概略断面図である。
【図１２】本発明の実施形態３に係る加熱調理器におけるコンベクションパネルと遮熱パネルとの接続状態を説明するための概略断面図である。
【発明を実施するための形態】
【００１０】
〔実施形態１〕
以下、本発明の一実施形態について、詳細に説明する。
【００１１】
（加熱調理器の概略説明）
図１は、本実施形態の加熱調理器１の正面図であり、（ａ）はドア（開閉扉）３を閉めた状態を、（ｂ）はドア３を開けた状態を示す。加熱調理器１は、後述するレンジ加熱部１２（図２）およびオーブン加熱部１３（図２）および水蒸気発生部１１（図２）を備え、加熱調理として電子レンジ調理と、オーブン調理と、水蒸気、特に１００℃を超える温度に加熱された過熱水蒸気を用いたウォータオーブン調理とを行う加熱調理器である。
【００１２】
図１に示すように、加熱調理器１は、直方体形状のケーシング２と、ドア３とを備え、ケーシング２で囲まれる空間が、被加熱物を収容するための加熱庫２ａとなっている。なお、マグネトロンはケーシング２内部（例えば、加熱庫２ａを挟んでドア３と反対側）に備えられている。
【００１３】
ドア３は、加熱庫２ａの開口部２ｂを開閉するための開閉扉であり、加熱庫２ａと対向する位置に配置される窓（窓部）３ａと、窓３ａを囲むフレーム（枠部）３ｂとを備える。窓３ａには加熱庫２ａを覗けるように、耐熱ガラスあるいは耐熱性の透明樹脂が嵌め込まれている。フレーム３ｂは、非金属材料、例えば、樹脂から形成されている。
【００１４】
ドア３は、加熱庫２ａを開閉可能に設けられており、下端の辺を略中心に回動し、上側にはドア３を開閉するためのユーザ補助としてハンドル４が取り付けられている。本実施形態では、ドア３の開閉は、ドア３の下端側の辺を略中心に回動して行われる構成であるが、これに限定されず、例えば、ドア３の左端または右端の辺を中心に回動してドア３が開閉する構成であってもよい。ドア３の詳細については、後述する。
【００１５】
また、ドア３の加熱庫２ａと対向する面に、加熱庫２ａの入り口の開口部２ｂを覆うサイズのシールド材料（図示せず）が形成されている。
【００１６】
加熱調理器１は、さらに、当該加熱調理器１に関する各種情報等を表示し、当該加熱調理器１へのユーザの操作を受け付けるための表示操作部（指示入力部）５がドア３の前面に設けられている。表示操作部５には、ダイヤル６やボタン７および操作情報等の各種情報を表示する表示パネル８が設けられている。なお、表示操作部５は、ダイヤル６やボタン７等の物理的な部材を使用しない、例えば、タッチパネルとして構成されていてもよい。表示操作部５は、後述する制御部１０に接続されており、制御部１０との間で情報の入出力を行う。制御部１０を含んだ加熱調理器１について、以下に説明する。
【００１７】
（加熱調理器１の機能ブロック）
図２は、加熱調理器１の機能ブロック図である。加熱調理器１は、図２に示すように、制御部１０を備えている。制御部１０は、表示操作部５、水蒸気発生部１１、レンジ加熱部１２、オーブン加熱部１３、冷却部１４、アンテナ回転駆動部１５、ポンプ駆動部１６、温度センサ１７が接続されている。そして、制御部１０は、主に加熱調理に関わる制御を行う加熱制御部１０ａと、表示操作部５の表示パネル８の表示制御を行う表示制御部１０ｂとを含んでいる。従って、加熱制御部１０ａは、表示操作部５のダイヤル６やボタン７、水蒸気発生部１１、レンジ加熱部１２、オーブン加熱部１３、冷却部１４、アンテナ回転駆動部１５、ポンプ駆動部１６、温度センサ１７に接続されている。一方、表示制御部１０ｂは表示操作部５の表示パネル８に接続されている。
【００１８】
水蒸気発生部１１は、加熱調理器１による過熱水蒸気を用いた調理を実行する際に駆動し、図示しない給水タンクから水を供給され、その水を加熱して水蒸気を発生する。発生した水蒸気は、加熱調理器１の加熱庫２ａ内に供給される。水蒸気発生部１１が発生する水蒸気は、過熱水蒸気（１００℃よりも温度が高い水蒸気）やそれよりも温度が低い水蒸気である。水蒸気の温度は、適宜調整可能である。また、加熱庫２ａの内部に供給された水蒸気は、加熱庫２ａ内部に配置された食品（被加熱物）を加熱する。
【００１９】
レンジ加熱部１２は、加熱調理器１によるレンジ調理を実行する際のマグネトロン（マイクロ波発生装置）であり、オーブン加熱部１３は、加熱調理器１によるオーブン調理を実行する際のヒータである。冷却部１４は、加熱調理器１による全ての加熱調理を行う際に、当該加熱調理器１内の電子部品を冷却するための冷却ファン（図示せず）を駆動させる駆動用モータである。
【００２０】
アンテナ回転駆動部１５は、レンジ調理の際に、マイクロ波を放射するアンテナ１８を回転させる。
【００２１】
ポンプ駆動部１６は、水蒸気発生部１１を作動させる際に、当該水蒸気発生部１１にタンク２０内の水を供給するためのポンプ１９を駆動させる。
【００２２】
温度センサ１７は、例えばサーミスタからなり、加熱庫２ａの内部の温度を検出する。制御部１０は、表示操作部５での設定や温度センサ１７の検出温度等に基づいて、水蒸気発生部１１等の調理に係る装置の動作を制御する。
【００２３】
上記構成の加熱調理器１では、水蒸気調理を効果的に行うためには、加熱庫２ａ内に供給された水蒸気を対流（循環）させる必要がある。以下に、水蒸気対流（循環）機構について説明する。
【００２４】
（水蒸気対流（循環）機構）
図３は、加熱調理器１の背面側のパネルを外した状態を示す。図４は、図３に示す状態で、正面から見て左側面のパネルを取り外した状態を示す。図５の（ａ）（ｂ）は、水蒸気対流（循環）機構３０の外観を示す。図６は、水蒸気対流（循環）機構３０のコンベクションファン（撹拌用送風ファン）３４側からみた状態を示す。図７は、図５の（ａ）のＡＡ線矢視断面を示す。
【００２５】
水蒸気対流（循環）機構３０は、図３に示すように、加熱庫２ａ内に水蒸気対流（循環）用の風を送り込むためのコンベクションファン３４（図６）と、コンベクションパネル３５と、コンベクションファン３４を駆動させるための駆動用モータ４０とを備えている。
【００２６】
コンベクションパネル３５は、コンベクションファン３４と駆動用モータ４０との間に配され、加熱調理器１の背面をほぼ覆うように取り付けられている。コンベクションファン３４は、回転することで、加熱調理器１の背面側から加熱庫２ａ内に風を送り込むようになっている。
【００２７】
駆動用モータ４０は、取り付け板３２を介して遮熱パネル３１に取り付けられている。この遮熱パネル３１により、加熱調理器１の加熱庫２ａからの熱が駆動用モータ４０へ伝達するのを遮断するようになっている。
【００２８】
さらに、駆動用モータ４０を冷却するために、当該駆動用モータ４０の回転軸４１上に冷却ファン３３が設けられている。冷却ファン３３は、駆動用モータ４０と遮熱パネル３１との間に設けられ、コンベクションファン３４の回転に連動し、回転することで、駆動用モータ４０に向かって風を吹き付けるようになっている。
【００２９】
遮熱パネル３１とコンベクションパネル３５とは、図７に示すように、所定の間隔を隔てて配置されおり、断熱層として機能する。なお、加熱庫２ａの背面とコンベクションパネル３５で形成される空間をコンベクションダクトとする。
【００３０】
ところで、駆動用モータ４０の回転軸４１は、遮熱パネル３１およびコンベクションパネル３５に貫通しているので、加熱庫２ａ側からの水蒸気や熱が回転軸４１を伝って外部に漏れる恐れがある。そこで、以下では、水蒸気漏れを防止するための、水蒸気漏れ防止機構について説明する。
【００３１】
（水蒸気漏れ防止機構）
図８は、水蒸気対流（循環）機構３０における駆動用モータ４０および回転軸４１付近の断面を示す。図９は、遮熱パネル３１の正面図、図１０は、遮熱パネル３１の背面図を示す。
【００３２】
水蒸気対流（循環）機構３０は、図８の（ａ）に示すように、駆動用モータ４０側から順に、冷却ファン３３、遮熱パネル３１、コンベクションパネル３５、コンベクションヒータ３９、コンベクションファン３４が配設されている。
【００３３】
駆動用モータ４０の回転軸４１は、遮熱パネル３１およびコンベクションパネル３５を貫通した貫通孔３０ａを通して、コンベクションファン３４に接続される一方、貫通孔３０ａの手前で冷却ファン３３に接続されている。貫通孔３０ａは、図８の（ｂ）に示すように、コンベクションパネル３５と遮熱パネル３１それぞれに形成されたバーリング３５ａ，３１ａ同士を嵌め合わせて形成されている。また、本実施形態では、貫通孔３０ａを構成している遮熱パネル３１のバーリング３１ａの内径は、コンベクションパネル３５のバーリング３５ａの外径よりも大きい例を示している。
【００３４】
具体的には、冷却ファン３３は、ワッシャ４３およびｅリング４４によって、回転軸４１に固定され、コンベクションファン３４は、ワッシャ３７およびナット３８により、回転軸４１に固定される。なお、冷却ファン３３とコンベクションファン３４との間には、回転軸４１に貫通したカラー４２が設けられている。このカラー４２は、貫通孔３０ａに貫通している。
【００３５】
上記構成によれば、水蒸気対流（循環）機構３０の貫通孔３０ａは、図８の（ｂ）に示すように、遮熱パネル３１とコンベクションパネル３５とは、それぞれのバーリング３１ａ，３５ａ同士が嵌めあわされて形成されているため、当該遮熱パネル３１とコンベクションパネル３５との間に形成される隙間はバーリング３１ａ，３５ａによって密封された状態となる。それゆえ、コンベクションパネル３５側（加熱庫２ａ側）からの水蒸気や熱は、回転軸４１を通して貫通孔３０ａに到達しても、遮熱パネル３１とコンベクションパネル３５との間に形成される空間から加熱調理器１の外部に逃げることができない。
【００３６】
しかも、駆動用モータ４０の回転軸４１は、直接コンベクションファン３４に接続されているため、当該駆動用モータ４０の駆動力をコンベクションファン３４に対して十分に伝えることができる。
【００３７】
従って、上記構成の加熱調理器１は、コンベクションファン３４の回転軸４１に駆動力を十分に伝える構成であり、カラー４２（回転軸４１を含む）の外径とバーリング３５ａの内径を略同等にすれば、回転軸４１を通して水蒸気および熱が漏れることを防止できる構成である。
【００３８】
さらに、貫通孔３０ａの駆動用モータ４０側に、図８の（ｂ）に示すように、回転軸４１が貫通し、当該貫通孔３０ａを覆う耐熱樹脂からなる耐熱ワッシャ（ワッシャ）３６が設けられている。具体的には、貫通孔３０ａの回転軸４１側に、カラー４２（回転軸４１を含む）が貫通し、当該貫通孔３０ａを覆う耐熱樹脂からなる耐熱ワッシャ３６が設けられていることで、カラー４２（回転軸４１を含む）の外径とバーリング３５ａの内径を略同等にしなくても、回転軸４１と貫通孔３０ａとの隙間から水蒸気や熱が漏れるのを防ぐことができる。
【００３９】
耐熱ワッシャ３６としては、ポリイミドなどの耐熱温度（３００℃）の高耐熱性の樹脂が材料として用いられる。具体的には、耐熱ワッシャ３６として、カプトン（登録商標）ワッシャを用いる。
【００４０】
なお、本実施形態では、貫通孔３０ａを構成している遮熱パネル３１のバーリング３１ａの内径が、コンベクションパネル３５のバーリング３５ａの外径よりも大きい例について説明したが、これに限定されるものではなく、遮熱パネル３１のバーリング３１ａの外径が、コンベクションパネル３５のバーリング３５ａの内径よりも小さくてもよい。要は、遮熱パネル３１のバーリング３１ａと、コンベクションパネル３５のバーリング３５ａとが嵌め合わされ、遮熱パネル３１とコンベクションパネル３５との間に形成される隙間から水蒸気および熱が逃げないようにすればよい。
【００４１】
（耐熱ワッシャ）
耐熱ワッシャ３６について図９および図１０を参照しながら以下に説明する。
【００４２】
耐熱ワッシャ３６は、図９に示すように、中心にカラー４２の外形とほぼ同じ径の貫通孔３６ａが形成されており、遮熱パネル３１のバーリング３１ａ形成面とは反対側の面において、当該遮熱パネル３１に形成された、４つの支持部材５１によって支持されている。すなわち、耐熱ワッシャ３６は、遮熱パネル３１に形成された４つの支持部材５１により、当該遮熱パネル３１に対して所定の範囲内で移動自在に支持されている。
【００４３】
上記構成によれば、耐熱ワッシャ３６は、４つの支持部材５１によって所定の範囲内で移動自在に支持されているので、駆動用モータ４０の回転軸４１の貫通孔３０ａ内での変動（回転軸４１の偏心による振動等）に追従することができる。これにより、回転軸４１が貫通孔３０ａ内で変動したとしても、耐熱ワッシャ３６との干渉による異音の発生を抑制することができ、貫通孔３０ａと回転軸４１との間に隙間が形成されることもないので、水蒸気や熱の漏れを確実に抑制することができる。また、回転軸４１が貫通孔３０ａに直接接触することがないため、回転軸４１が貫通孔３０ａに接触することに起因する異音も発生しない。
【００４４】
なお、耐熱ワッシャ３６は、ポリイミドのような高耐熱性を有する樹脂で形成されていれば、どのような樹脂であってもよい。つまり、耐熱ワッシャ３６は、耐熱性を有し、且つ可撓性を有するのが好ましい。この可撓性を利用して、耐熱ワッシャ３６を、支持部材５１に対して着脱することができる。つまり、支持部材５１によって、耐熱ワッシャ３６を支持させる場合には、耐熱ワッシャ３６を指で少し折曲げながら支持部材５１同士の隙間に入れて、指を離す。一方、支持部材５１によって支持された耐熱ワッシャ３６を取り外すときには、当該耐熱ワッシャ３６を指で少し折曲げながら支持部材５１同士の隙間から取り出す。
【００４５】
このように、耐熱ワッシャ３６に可撓性を持たせ、且つ、支持部材５１によって支持されたときに所定の範囲自在に移動可能であることで、上述した通り、耐熱ワッシャ３６の着脱が容易になる。なお、耐熱ワッシャ３６を支持する支持部材５１の数は、４個に限定されるものではなく、少なくとも３個以上であればよい。
【００４６】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４７】
前記実施形態１では、水蒸気および熱の漏れを防止するために、遮熱パネル３１に形成されたバーリング３１ａと、コンベクションパネル３５に形成されたバーリング３５ａとを嵌め合わせ、且つ、耐熱ワッシャ３６を貫通孔３０ａに設けた例について説明したが、図１１に示すように、図８の（ｂ）から、耐熱ワッシャ３６がない構成、すなわちバーリング３１ａ・３５ａのみの構成であっても、少なくとも遮熱パネル３１とコンベクションパネル３５との間に形成される隙間から水蒸気および熱が漏れるのを防ぐ効果はある。
【００４８】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００４９】
前記実施形態２では、前記実施形態１に対して、耐熱ワッシャ３６がない構成、すなわちバーリングのみの構成について説明したが、図１２に示すように、耐熱ワッシャ３６のみの構成、すなわち、遮熱パネル３１にバーリング３１ａが形成されず、且つ、コンベクションパネル３５にバーリング３５ａが形成されない構成であっても、遮熱パネル３１とコンベクションパネル３５との間に形成される隙間へ水蒸気や熱が漏れるものの、貫通孔３０ａから水蒸気および熱が漏れるのを防ぐ効果はある。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５１】
１  加熱調理器
２  ケーシング
２ａ  加熱庫
２ｂ  開口部
３  ドア
３ｂ  フレーム
４  ハンドル
５  表示操作部
６  ダイヤル
７  ボタン
８  表示パネル
１０  制御部
１０ａ  加熱制御部
１０ｂ  表示制御部
１１  水蒸気発生部
１２  レンジ加熱部
１３  オーブン加熱部
１４  冷却部
１５  アンテナ回転駆動部
１６  ポンプ駆動部
１７  温度センサ
１８  アンテナ
１９  ポンプ
２０  タンク
３０  水蒸気対流（循環）機構
３０ａ  貫通孔
３１  遮熱パネル
３１ａ  バーリング
３３  冷却ファン
３４  コンベクションファン（送風ファン）
３５  コンベクションパネル
３５ａ  バーリング
３６  耐熱ワッシャ
３６ａ  貫通孔
３７  ワッシャ
３８  ナット
３９  コンベクションヒータ
４０  駆動用モータ
４１  回転軸（駆動軸）
４２  カラー
４３  ワッシャ
４４  ｅリング
５１  支持部材
【図１】
2020040096.tif 000003
【図２】
2020040096.tif 000004
【図３】
2020040096.tif 000005
【図４】
2020040096.tif 000006
【図５】
2020040096.tif 000007
【図６】
2020040096.tif 000008
【図７】
2020040096.tif 000009
【図８】
2020040096.tif 000010
【図９】
2020040096.tif 000011
【図１０】
2020040096.tif 000012
【図１１】
2020040096.tif 000013
【図１２】
2020040096.tif 000014
【国際調査報告】
2020040096.tif 000015
2020040096.tif 000016
2020040096.tif 000017
2020040096.tif 000018